(57)【特許請求の範囲】
【請求項１】
棒状化粧料(K) を保持する保持筒体(2) と、繰り出し容器本体(15)の内筒体(19)内に昇降変位可能に組付き、前記保持筒体(2) を嵌め込み係止保持する昇降体(11)とから成り、前記保持筒体(2) を、主体部である筒壁(3) の外周面下端部に、前記昇降体(11)の下端開口縁である係止角部(14)に下方から係止する係止段部(6) を設け、該係止段部(6) を有する筒壁(3) の下部に、複数の割り溝(7) を設けることにより、径方向に弾性変形可能な舌片状の複数の脚筒片(8) を成形し、該各脚筒片(8) の内周面に、上方に拡径する方向に傾斜したテーパー面(10)を有する離脱用爪片(9) を垂下状に設けた構成とした棒状化粧料繰り出し容器の受皿体。
【発明の詳細な説明】
【０００１】
【発明が属する技術分野】
本発明は、棒状化粧料繰り出し容器において、口紅等の棒状化粧料を、繰り出し容器本体に対して安全に着脱可能とした受皿体に関するものである。
【０００２】
【従来の技術】
繰り出し容器本体に対する棒状化粧料の着脱を可能とした従来技術として、実開昭６１−１９４４２５号公報に開示された技術がある。
【０００３】
この従来技術は、繰り出し容器の受皿体を、棒状化粧料を保持する保持筒体相当部分と、繰り出し容器本体内に昇降変位可能に組付き、保持筒体相当部分を挿入螺合させると共に、その螺合限で抜け出し方向に係止する昇降体相当部分とから構成し、化粧料の取替えは、保持筒体相当部分を昇降体相当部分から螺脱させてから、新たな化粧料を保持した保持筒体相当部分を昇降体相当部分に螺着させて達成している。
【０００４】
【発明が解決しようとする課題】
しかしながら、上記した従来技術にあっては、昇降体相当部分に対する保持筒体相当部分の着脱が螺合を利用しているので、昇降体相当部分に対する保持筒体相当部分の着脱には、昇降体相当部分と保持筒体相当部分とを相対回動させる必要があり、その分、着脱操作が面倒である、と云う問題があった。
【０００５】
また、昇降体相当部分と保持筒体相当部分との間には、螺合結合の緩み発生を防止する係止手段が設けられているが、この係止手段の係止解除は、保持筒体相当部分の昇降体相当部分に対する強引な螺脱回動により達成されるので、両部分の係止機能部分が不正に齧り変形し易く、昇降体相当部分の係止機能部分の齧り変形により、係止能力が大幅に低下する、と云う問題があった。
【０００６】
そこで、本発明は、上記した従来技術における問題点を解消すべく創案されたもので、昇降体相当部分に対する保持筒体相当部分の着脱をワンタッチ操作で達成すると共に、昇降体相当部分と保持筒体相当部分との係止組付きを無理なく解除することを技術的課題とし、もって昇降体相当部分に対する保持筒体相当部分すなわち化粧料の着脱を簡単にかつ安全に達成すると共に、昇降体相当部分に対する保持筒体相当部分の強固な係止組付きを、安定して確実に維持することを目的とする。
【０００７】
【課題を解決するための手段】
上記技術的課題を解決する本発明の手段は、
棒状化粧料を保持する保持筒体と、繰り出し容器本体の内筒体内に昇降変位可能に組付き、保持筒体を嵌め込み係止保持する昇降体と、から構成されること、
保持筒体を、下記の構成とすること、
主体部である筒壁の外周面下端部に、昇降体の下端開口縁である係止角部に下方から係止する係止段部を設けること、
この係止段部を設けた筒壁の下部に、複数の割り溝を設けることにより、径方向に弾性変形可能な舌片状の複数の脚筒片を成形すること、
この各脚筒片の内周面に、上方に拡径する方向に傾斜したテーパー面を有する離脱用爪片を垂下状に設けること、
にある。
【０００８】
受皿体は、容器本体の内筒体内に昇降変位可能に挿入組付けされている昇降体に、保持筒体を、上方から差し込み状に嵌め込み、保持筒体の突き当たり段部を昇降体の上端面に突き当てた状態で、保持筒体の外周面下端部に形成された係止段部を、昇降体の下端開口縁である係止角部に下方から係止させることにより、組立てられる。
【０００９】
保持筒体への化粧料の組付け保持は、保持筒体を成形型枠の一部とした、化粧料の充填成形と同時に達成されるが、この化粧料の保持筒体への組付けは、保持筒体を昇降体に組付けた状態、すなわち受皿体を組立てた状態で行う場合と、保持筒体を昇降体に組付けない状態で行う場合とがあり、前者の場合は、化粧料の成形完了と同時に、化粧料の容器本体への組付けが達成され、後者の場合は、化粧料と保持筒体との組合せ物を、容器本体とは別個にカセット状に取り扱うことが可能となる。
【００１０】
保持筒体の昇降体からの取り外しは、保持筒体の各脚筒片に設けた離脱用爪片のテーパー面に押し上げ力を加えて、テーパー面の作用により、各脚筒片を縮径方向に弾性変形させ、これにより昇降体の係止角部に対する保持筒体の係止段部の係止を解除し、そのまま押し上げ力により保持筒体を昇降体から上方に抜き出して達成する。
【００１１】
この保持筒体の昇降体からの取り外しに際して、取り外し力としての押し上げ力の作用により、各脚筒片が縮径方向に弾性変形して、係止角部に対する係止段部の係止を解除するので、この取り外しすなわち係止解除に際して、昇降体の係止角部に、不良な齧り変形が発生する恐れは全くない。
【００１２】
【発明の実施の形態】
以下、本発明の実施例を、図面を参照しながら説明する。
受皿体１は、棒状化粧料Ｋを保持する円筒形状をした保持筒体２と、繰り出し容器本体１５の内筒体１９内に昇降変位可能に組付き、保持筒体２を嵌め込み係止保持する円筒形状をした昇降体１１とから構成されている。
【００１３】
化粧料Ｋの成形型枠の一部ともなる保持筒体２は、円筒形状の筒壁３の外周面の略中位に下方に縮径した突き当たり段部５を設けると共に、この段部５から昇降体１１の高さ分だけ下位となる筒壁３の外周面下端部に、下方に拡径した係止段部６を設け、筒壁３の内周面上半部分に、保持筒体２に対する化粧料Ｋの組付きを食い込み保持する複数の保持リブ４を突設している。
【００１４】
外周面に係止段部６を設けた筒壁３の下部には、下端まで達した複数（図示実施例の場合、４つ）の割り溝７が等間隔に設けられており、この割り溝７により舌片状に形成された複数（図示実施例の場合、４つ）の脚筒８の内周面には、上方に拡径する方向に傾斜したテーパー面１０を有する離脱用爪片９が、テーパー面１０を下側に向けた姿勢で垂下状に突設されている。
【００１５】
内筒体１９内に昇降変位可能に組付けられた昇降体１１は、短円筒形状の筒本体１２の外周面に、容器本体１５のガイド縦孔２１を突き抜けて螺溝１８に螺合する一対の螺合突片１３を突設して構成され、筒本体１２の上端面を保持筒体２の突き当たり段部５に係止させると共に、下端開口縁である係止角部１４を保持筒体２の係止段部６に係止させることにより、保持筒体２の嵌め込み組付け状態を確保する。
【００１６】
受皿体１が組付けられる容器本体１５は、相互に抜け出し不能ではあるが回動変位自在に組付いた外筒体１６と内筒体１９とから構成され、外筒体１６は、円筒形状をした本体筒部１７の内周面に２条の螺溝１８を平行に刻設した構成となっており、内筒体１９は、外筒体１６を回動自在であるが抜け出し不能に外装組付けし、その略全高さ範囲にわたって一対のガイド縦孔２１を設けた円筒形状の収納筒部２０の下端に、段部を介して拡径した周壁を有し、底壁に底孔２３を開設した有底短円筒形状をした把持部２２を連設した構成となっている。
【００１７】
この内筒体１９に設けられた底孔２３は、保持筒体２の各離脱用爪片９のテーパー面１０の上端部を結ぶ仮想される円の径と等しいか僅かに大きい径で開口されている。
【００１８】
容器本体１５に組付けた化粧料Ｋを別のものに交換したい場合とか、保持筒体２を昇降体１１に組付けた状態で化粧料Ｋを成形した際に、ショートモールド等により不良品が発生して、この不良化粧料Ｋを離脱させたい場合には、図２に示すように、この底孔２３から挿入した円筒状の外し治具Ｇを、この外し治具Ｇの開口縁内周面に各テーパー面１０を当接させた状態で押し上げ、この押し上げ力により、保持筒体２を昇降体１１から抜け出させる。
【００１９】
昇降体１１から保持筒体２を抜け出させる外し治具Ｇは、その上端部が各離脱用爪片９のテーパー面１０に当接した状態で、保持筒体２に押し上げ力を作用させた際に、離脱用爪片９を介して各脚筒片８に縮径方向への力を作用させることができるものであれば良く、図示実施例の場合は、テーパー面１０の上端部を結ぶ仮想される円よりの小さい内径となった肉薄円筒体構造となっている。
【００２０】
なお、割り溝７の数は、特に限定されることはないが、昇降体１１に対する保持筒体２の強固で安定した係止組付きを達成維持することができ、また各脚筒片８を比較的容易に撓み変形させることができて、離脱操作を容易に達成できるようにするには、４つ〜６つ程度が適当である。
【００２１】
【発明の効果】
本発明は、上記した構成となっているので、以下に示す効果を奏する。
昇降体に対する保持筒体の着脱を、昇降体に対する保持筒体の単純な、嵌め込みおよび抜き出しで達成できるので、昇降体に対する保持筒体の着脱操作を、簡単でかつ確実なものとすることができる。
【００２２】
また、昇降体に対する保持筒体の離脱は、保持筒体に作用する押し上げ力を利用して、昇降体と保持筒体との係止を解除してから達成されるので、昇降体側の係止機能部分に不正な齧り変形が発生する恐れがなく、これにより化粧料交換後も、昇降体側の安定して適正な係止機能を得ることができる。
【図面の簡単な説明】
【図１】本発明の一実施例を示す、繰り出し容器の全体縦断面図。
【図２】図１に示した実施例の、要部拡大断面図。
【図３】図１に示した実施例の、保持筒体の底面図。
【符号の説明】
１  ；  受皿体
２  ；  保持筒体
３  ；  筒壁
４  ；  保持リブ
５  ；  突き当たり段部
６  ；  係止段部
７  ；  割り溝
８  ；  脚筒片
９  ；  離脱用爪片
１０；  テーパー面
１１；  昇降体
１２；  筒本体
１３；  螺合突片
１４；  係止角部
１５；  容器本体
１６；  外筒体
１７；  本体筒部
１８；  螺溝
１９；  内筒体
２０；  収納筒部
２１；  ガイド縦孔
２２；  把持部
２３；  底孔
Ｋ  ；  化粧料
Ｇ  ；  外し治具
【図１】
0003925603.tif 000002
【図２】
0003925603.tif 000003
【図３】
0003925603.tif 000004